(57)【特許請求の範囲】
【請求項１】
キャップ基体と上蓋とからなるヒンジキャップにおいて、
上蓋は、頂壁と、所定の位置にヒンジを連設する外筒とを具え、
外筒のヒンジの反対側の下面に、開蓋時に指が当接する程度の高さと幅を有する指当て板を垂設し、
キャップ基体は、嵌合筒部と、蓋係合部と注出筒を具え、
嵌合筒部のヒンジの反対側に、閉蓋時に、指当て板が上面から挿入される間隙を有する凹部が設けられていることを特徴とするヒンジキャップ。
【請求項２】
上蓋の外筒のヒンジの反対側外周に、指掛け部が凹設されていることを特徴とする請求項１記載のヒンジキャップ。
【発明の詳細な説明】
【技術分野】
【０００１】
本発明は、キャップ基体と上蓋とからなるヒンジキャップ、とくに上蓋の開蓋時に指などが注出筒などのキャップ内方に触れることを防止したヒンジキャップに関するものである。
【背景技術】
【０００２】
内容液を充填した容器の口部に装着するキャップ基体と上蓋とからなり、キャップ基体の注出筒内に隔壁を設け、隔壁の除去部をプルリングなどで抜栓して内容液を注出する注出口を形成し、注出筒を介して注出するヒンジキャップは、従来から周知である（例えば、特許文献１参照）。
【先行技術文献】
【特許文献】
【０００３】
【特許文献１】特開２００３−３２１０４３号公報
【発明の概要】
【発明が解決しようとする課題】
【０００４】
しかしながら、上記特許文献１のものは、上蓋を開蓋する際に、上蓋のヒンジの反対側を押し上げるために、開蓋と同時に、キャップ基体（キャップ本体２）内方の注出筒などに指が触れ、指が汚れるという問題があった。
【０００５】
本発明は、上記問題を解決することを課題とし、容器の口部に装着するヒンジキャップにおいて、上蓋の開蓋時に指などが注出筒などのキャップ基体内方に触れることを防止したヒンジキャップを提供することを目的とする。
【課題を解決するための手段】
【０００６】
本発明は、上記の課題を解決するために、ヒンジキャップとして、キャップ基体と上蓋とからなるヒンジキャップにおいて、上蓋は、頂壁と、所定の位置にヒンジを連設する外筒とを具え、外筒のヒンジの反対側の下面に、開蓋時に指が当接する程度の高さと幅を有する指当て板を垂設し、キャップ基体は、嵌合筒部と、蓋係合部と注出筒を具え、嵌合筒部のヒンジの反対側に、閉蓋時に、指当て板が上面から挿入される間隙を有する凹部が設けられていることを特徴とする構成を採用する。
【０００７】
上蓋の実施例として、上蓋の外筒のヒンジの反対側外周に、指掛け部が凹設されていることを特徴とする構成を採用する。
【発明の効果】
【０００９】
本発明は、上蓋の外筒のヒンジの反対側の下面に、開蓋時に指が当接する程度の高さと幅を有する指当て板を垂設し、上蓋の開蓋時には、指当て板に指などの一部が当接するので、キャップ基体内方の注出筒などに触れることを防止することができる。
キャップ基体の嵌合筒部のヒンジの反対側に、閉蓋時に指当て板が上面から挿入される間隙を有する凹部が設けられたことによって、閉蓋時に指当て板が凹部内方に挿入されるので、ヒンジキャップ自体に無駄な出っ張りが無く、確実に閉蓋状態を維持することができ、また、美観を損ねることが無い。
【図面の簡単な説明】
【００１０】
【図１】本発明第１実施例のヒンジキャップの説明図で、（ａ）は断面側面図、（ｂ）は要部拡大図である。
【図２】ヒンジキャップの開蓋時の上面図である。
【図３】開蓋時のヒンジキャップの要部の断面側面図で、（ａ）は指を上蓋に当接した時、（ｂ）は開蓋初期、（ｃ）は開蓋中期のものである。
【図４】本発明第２実施例のヒンジキャップの説明図で、（ａ）は断面側面図、（ｂ）は要部拡大図である。
【図５】ヒンジキャップの開蓋時の上面図である。
【発明を実施するための形態】
【００１１】
次に、本発明のヒンジキャップについて、実施例をあげ、図面を参照して説明する。
【実施例１】
【００１２】
図１、２において、Ａは容器口部に装着するキャップ基体、Ｂはキャップ基体ＡにヒンジＣを介して開閉可能に取り付けられた上蓋である。
【００１３】
キャップ基体Ａには、内周が容器本体の口部外周と嵌合する嵌合筒部１と、嵌合筒部１の内周上部に連設され、上蓋Ｂと係合してキャップを閉状態とするリング状の蓋係合部２と、蓋係合部２内縁に連設された注出筒３と、蓋係合部２内縁下面に垂設され、外周が容器本体の口部内周に挿入される内筒４とが設けられている。
【００１４】
また、注出筒３の内周下部には、容器内部とを仕切る隔壁５が設けられ、隔壁５には、プルリング６によって抜栓されたときに除去され、内容液が注出される注出口を形成する除去部７が形成されている。
【００１５】
嵌合筒部１は、蓋係合部２の外縁に連設される嵌合筒８と、嵌合筒８の外方に間隙ａを形成して連設されるとともに、外周上部の所定の位置にヒンジＣが連設される外周壁９とを具えている。
嵌合筒８の下端外周と外周壁９の下端内周は、ヒンジＣの反対側に配設された連結片１０と、その他の場所に間隔を開けて複数配設される破断可能な弱化片１１を介して連設されている。
係合筒８の内周下部には、容器本体の口部と係合する係合突部１２が設けられている。
【００１６】
注出筒３のヒンジＣの反対側には、内容液を注出する際に内容液を案内するとともに、液だれがないような適切な形状の注ぎ口１３が形成されている。
【００１７】
上蓋Ｂは、頂壁１５と、頂壁１５外縁に垂設される外筒１６と、頂壁１５下面に垂設され、閉蓋時に外周がキャップ基体Ａの注出筒３の内周と係合する密封筒１７が設けられている。
【００１８】
外筒１６には、内周下部に、閉蓋時にキャップ基体Ａの蓋係合部２の上部外周と係合し、閉蓋状態を維持する係合部１８が設けられ、外周下部の所定の位置にヒンジＣが連設されている。
【００１９】
外筒１６のヒンジＣの反対側の外周には、開蓋時に指の先端部が引掛かるような適切な形状の指掛け部１９が凹設されている。
【００２０】
外筒１６の下面には、ヒンジＣの反対側を中心として、閉蓋時にキャップ基体Ａの嵌合筒部１の嵌合筒８と外周壁９との間隙ａの内方に挿入されるように弧状に形成される指当て板２０が垂設されている。
また、指当て板２０は、開蓋時に指が当接するように、ある程度の高さと、幅を持って適切な形状で形成されている。
【００２１】
キャップ基体Ａの嵌合筒部１の嵌合筒８と外周壁９との間隙ａ、および、上蓋Ｂの外筒１６の指当て板２０は、開閉蓋時に、互いが係合して抵抗にならないように間隙ａが指当て板２０の厚さよりある程度大きく形成されている。
【００２２】
次に、本実施例のヒンジキャップの作用効果について、説明する。
本実施例のヒンジキャップの閉蓋時には、キャップ基体Ａの蓋係合部２の上部外周と、上蓋Ｂの外筒１６の係合部１８が係合して閉蓋を維持する。
また、キャップ基体Ａの嵌合筒部１の嵌合筒８と、外周壁９との間隙ａ内に上蓋Ｂの指当て板２０が挿入されるので、容器運搬時や容器を落としたりした時などにも、確実に閉蓋状態を維持することができ、また、美観を損ねることが無い。
【００２３】
ヒンジキャップの開蓋時には、図３（ａ）に示すように、上蓋Ｂの外筒１６の指掛け部１９に指を掛けて押上げ、上蓋Ｂを開蓋することができる。
【００２４】
指掛け部１９を指で押上げると、指の外筒１６より下方に位置する部分が、キャップ基体Ａの外周壁９の上部を押し、僅かに変形させるとともに、指の下方部は内方に進もうとするが、指当て板２０があるため、図３（ｂ）に示すように、指の部分ｂが、指当て板２０の外面に当接する。
【００２５】
指の部分ｂが指当て板２０の外面に当接することで、指の部分ｂが内方に進むことを防止するとともに、指がキャップ基体Ａの蓋係合部２の上部外周に接触することを防止できる。
【００２６】
また、さらに開蓋が進むと、図３（ｃ）に示すように、指当て板２０により、指の部分ｂが内方に進むことが防止されるので、指が注出筒３の注ぎ口１３の外方に接触することを防止できる。
【００２７】
本発明のヒンジキャップは、開蓋の際に、指の一部がキャップ基体Ａの内方に接触することを防止できるので、蓋係合部２の上部、または注出筒３の注ぎ口１３の外方に付着した内容液などに接触して指を汚したり、また、指についた雑菌などにより注ぎ口１３が汚染されることを防止することができる。
【００２８】
本実施例のヒンジキャップは、容器内の内容液を全部使用した後、ヒンジキャップを開蓋し、上蓋Ｂを上方に引張ると、ヒンジＣを介してキャップ基体Ａの外周壁９が引張られる。
外周壁９が引張られると、弱化片１１を切断し、外周壁９を変形させながら、連結片１０を介して、嵌合筒８のヒンジＣの反対側の下部が引張られる。
嵌合筒８の下部の一部が引張り上げられると、嵌合筒８が変形し、容器本体の口部との嵌合が外され、ヒンジキャップと容器本体とを分別廃棄することができる。
【実施例２】
【００２９】
次に、第１実施例のキャップ基体の嵌合筒部の構成を変えた第２実施例について、説明する。
本実施例の第１実施例と同一の構成部分には、同一の符号を付して図示し、詳しい説明を省略し、相違点を中心に説明する。  
【００３０】
図４、５に示すように、キャップ基体Ａａには、内周が容器口部外周と嵌合する嵌合筒部２５と、嵌合筒部２５の内周上部に連設され、上蓋Ｂと係合してキャップを閉状態とするリング状の蓋係合部２と、蓋係合部２内縁に連設される注出筒３と、蓋係合部２内縁下面に垂設され、外周が容器口部内周に挿入される内筒４が設けられている。
【００３１】
嵌合筒部２５は、内周下部に容器口部と係合する係合突部２６が設けられ、外周上部の所定の位置にヒンジＣが連設されている。
【００３２】
嵌合筒部２５のヒンジＣの反対側には、ヒンジＣの反対側を中心として上面の中央部に沿って間隙ａを形成して弧状に延び、上面から所定の深さまで凹設される係合穴２７が配設されている。
【００３３】
係合穴２７は、閉蓋時に、上蓋Ｂの外筒１６の指当て板２０が挿入されるとともに、開閉蓋時に、互いが係合して抵抗にならないように、指当て板２０の高さ、幅よりある程度大きく形成され、また、間隙ａは、指当て板２０の厚さよりある程度大きく形成されている。
【００３４】
次に、本実施例のヒンジキャップの作用効果について、説明する。
本実施例のヒンジキャップの閉蓋時には、キャップ基体Ａａの蓋係合部２の上部外周と、上蓋Ｂの外筒１６の係合部１８が係合して閉蓋を維持する。
また、上蓋Ｂの外筒１６の指当て板２０がキャップ基体Ａａの係合穴２７内方に挿入されるので、容器運搬時や容器を落としたりした時などにも確実に閉蓋状態を維持することができ、また、美観を損ねることが無い。
その他の作用効果は、実施例１と同様である。
【００３５】
前記実施例では、上蓋Ｂの外筒１６の指当て板２０とキャップ基体Ａａの嵌合筒部２５の係合穴２７が、ヒンジＣの反対側を中心として弧状に延びるように形成されているが、指当て板２０により、指の部分ｂが内方に進むことが防止できればよく、指当て板２０をヒンジＣの反対側を中心として直線状に延びるように形成し、それに合わせて嵌合筒部２５に係合穴２７を直線状に形成するようにしてもよいので、指当て板および係合穴の形状および大きさは、前記実施例の実施形態に限定されない。
【００３７】
本発明のヒンジキャップは、上蓋の外筒の下面に指当て板を設け、キャップ基体の外側の筒部に指当て板を挿入できる間隙を形成する係合穴または隙間を形成し、容器運搬時や容器を落としたりした時などにも確実に閉蓋状態を維持することができ、開蓋時に指当て板により、指などが汚れることを防止できればよいので、その他のキャップ基体、および上蓋の構成は上記各実施例の形態に限定されない。
【産業上の利用可能性】
【００３８】
本発明のヒンジキャップは、上蓋の外筒の下面に指当て板を設けているので、開蓋時に、指などがキャップ基体内方の注出筒などに触れることをなくすことができ、内容液を充填した容器のヒンジキャップとして、広く使用できる。
特に、抜栓後も清潔感を保ちたい液状食料品などの容器に好適である。
【符号の説明】
【００３９】
Ａ、Ａａ    キャップ基体
Ｂ          上蓋
Ｃ          ヒンジ
ａ          間隙
ｂ          指の部分
１、２５    嵌合筒部
２          蓋係合部
３          注出筒
４          内筒
５          隔壁
６          プルリング
７          除去部
８          嵌合筒
９          外周壁
１０        連結片
１１        弱化片
１２、２６  係合突部
１３        注ぎ口
１５        頂壁
１６        外筒
１７        密封筒
１８        係合部
１９        指掛け部
２０        指当て板
２７        係合穴
【図１】
0005579405.tif 000002
【図２】
0005579405.tif 000003
【図３】
0005579405.tif 000004
【図４】
0005579405.tif 000005
【図５】
0005579405.tif 000006